(57)【要約】【課題】狭額縁化された液晶表示装置において、高品質な表示特性を実現可能な技術を提供することを目的とする。【解決手段】液晶表示装置は、複数のゲート配線とゲート配線駆動部とを電気的に接続する複数のゲート接続配線を備える。ゲート接続配線は、第１基板の額縁領域において離間して配設された複数の第１部分ゲート接続配線と、第２基板の前記ブラックマトリクス上に配設され、各導電部材を介して複数の第１部分ゲート接続配線を電気的に接続する第２部分ゲート接続配線とを含む。【選択図】図１
2017219703.tif 000002
【特許請求の範囲】
【請求項１】
表示領域と、前記表示領域に隣接する額縁領域とが規定された第１基板と、
前記表示領域に配設され、平面視において互いに交差された複数のソース配線及び複数のゲート配線と、
前記表示領域に配設され、前記複数のソース配線及び前記複数のゲート配線と接続された複数の薄膜トランジスタと、
前記額縁領域であって前記複数のソース配線の一端側の領域である一端額縁領域に配設された、前記複数のソース配線に映像信号を供給可能なソース配線駆動部と、
前記一端額縁領域に配設された、前記複数のゲート配線に走査信号を供給可能なゲート配線駆動部と、
前記額縁領域に配設された、前記複数のソース配線と前記ソース配線駆動部とを電気的に接続する複数のソース接続配線と、
前記複数のゲート配線と前記ゲート配線駆動部とを電気的に接続する複数のゲート接続配線と、
前記第１基板と対向して配設され、前記第１基板と対向する面上に絶縁性のブラックマトリクスが配設された第２基板と
を備え、
前記ゲート接続配線は、
前記第１基板の前記額縁領域において離間して配設された複数の第１部分ゲート接続配線と、
前記第２基板の前記ブラックマトリクス上に配設され、各導電部材を介して前記複数の第１部分ゲート接続配線を電気的に接続する第２部分ゲート接続配線と
を含む、液晶表示装置。
【請求項２】
請求項１に記載の液晶表示装置であって、
前記第２部分ゲート接続配線の少なくとも一部分上に、絶縁膜を介して配設された導電膜をさらに備える、液晶表示装置。
【請求項３】
請求項２に記載の液晶表示装置であって、
前記第２部分ゲート接続配線の前記少なくとも一部分は、前記表示領域と対向して配設されている、液晶表示装置。
【請求項４】
請求項３に記載の液晶表示装置であって、
前記表示領域に配設され、前記複数の薄膜トランジスタと接続された複数の画素電極をさらに備え、
前記液晶表示装置は、横電界方式の液晶表示装置であり、
前記導電膜は、平面視において前記画素電極同士の間に配設されている、液晶表示装置。
【請求項５】
請求項１から請求項４のうちのいずれか１項に記載の液晶表示装置であって、
前記表示領域の平面視における外郭形状は、曲線形状を含み、
前記第１部分ゲート接続配線のうち前記各導電部材と接続される部分は、平面視において前記表示領域の前記曲線形状に沿って配設されている、液晶表示装置。
【請求項６】
請求項１に記載の液晶表示装置であって、
前記ゲート配線は、
前記第１基板の前記表示領域において離間して配設された複数の部分ゲート配線を含み、
前記複数の部分ゲート配線を電気的に接続するゲート配線間接続配線をさらに備え、
前記ゲート配線間接続配線は、
前記第１基板の前記額縁領域において離間して配設された複数の第１部分ゲート配線間接続配線と、
前記第２基板の前記ブラックマトリクス上に配設され、各導電部材を介して前記複数の第１部分ゲート配線間接続配線を電気的に接続する第２部分ゲート配線間接続配線と
を含む、液晶表示装置。
【請求項７】
請求項６に記載の液晶表示装置であって、
前記表示領域の平面視における外郭形状は、凹部形状を含み、
前記複数の部分ゲート配線は、前記凹部を挟んで配設されている、液晶表示装置。
【請求項８】
請求項６または請求項７に記載の液晶表示装置であって、
前記第２部分ゲート配線間接続配線の少なくとも一部分上に、絶縁膜を介して配設された導電膜をさらに備える、液晶表示装置。
【発明の詳細な説明】
【技術分野】
【０００１】
本発明は、第１基板と、それに対向して配設された第２基板とを備える液晶表示装置に関する。
【背景技術】
【０００２】
一般に、アクティブマトリクス型の液晶表示装置は、互いに対向する２枚の絶縁性のガラス基板で構成される液晶パネルを備えている。液晶パネルの一方のガラス基板であるＴＦＴ基板には、互いに絶縁されたゲート配線及びソース配線からなる平面視格子状の配線が配設され、ゲート配線とソース配線との各交差点にはＴＦＴ（薄膜トランジスタ）が配設されている。ＴＦＴは、ゲート配線に接続されたゲート電極、ソース配線に接続されたソース電極、及び、ドレイン電極などから構成される。ドレイン電極は、画像を表示するためにＴＦＴ基板上にマトリクス状に配設された画素電極に接続されている。ＴＮ（Twisted Nematic）型液晶パネルの場合には、液晶パネルの他方のガラス基板であるＣＦ（Color Filter）基板に、液晶層を介して画素電極との間に電圧を印加するための共通電極が配設されている。また、ＩＰＳ（In Plane Switching）（登録商標）型液晶パネルの場合には、液晶層に電圧を印加するための共通電極が、ＣＦ基板ではなくＴＦＴ基板上に配設されている。
【０００３】
各ＴＦＴのゲート電極がゲート配線からＴＦＴをオンするための走査信号を受けたときに、当該ＴＦＴのソース電極がソース配線から受ける映像信号に基づいて、当該映像信号の電位と共通電極に与えられている電位との差である電圧が液晶層に印加される。これにより液晶が画素単位で駆動され、画面上に所望の画像が表示される。
【０００４】
さて、以上のように構成されたアクティブマトリクス型の液晶表示装置において、近年、狭額縁化が求められている。一方、ゲート配線数は、液晶表示装置の高解像度化に伴い、例えば１０００本規模のように多数本化している。このため、ゲートＩＣ（Integrated Circuit）からゲート配線に走査信号を供給するためのゲート接続配線が配設される、表示領域の外側の額縁領域の幅は拡大しており、狭額縁の実現が困難となっている。
【０００５】
この問題を解決するための技術として、特許文献１には、ゲート接続配線を、ＴＦＴ基板に配設された配線と、ＣＦ基板に配設された配線とから構成する技術が提案されている。
【先行技術文献】
【特許文献】
【０００６】
【特許文献１】特開２０１５−５５７１２号公報
【発明の概要】
【発明が解決しようとする課題】
【０００７】
しかしながら、特許文献１の技術では、ブラックマトリクス（以下「ＢＭ」と記すこともある）を、ゲート接続配線のうちＣＦ基板に配設された配線として用いる。このような構成では、ＣＦ基板に配設された各々の配線を電気的に分離するために、ブラックマトリクスにスリットなどの切れ目を設ける必要であり、当該切れ目から光が漏れるという問題があった。
【０００８】
そこで、本発明は、上記のような問題点を鑑みてなされたものであり、狭額縁化された液晶表示装置において、高品質な表示特性を実現可能な技術を提供することを目的とする。
【課題を解決するための手段】
【０００９】
本発明に係る液晶表示装置は、表示領域と、前記表示領域に隣接する額縁領域とが規定された第１基板と、前記表示領域に配設され、平面視において互いに交差された複数のソース配線及び複数のゲート配線と、前記表示領域に配設され、前記複数のソース配線及び前記複数のゲート配線と接続された複数の薄膜トランジスタと、前記額縁領域であって前記複数のソース配線の一端側の領域である一端額縁領域に配設された、前記複数のソース配線に映像信号を供給可能なソース配線駆動部と、前記一端額縁領域に配設された、前記複数のゲート配線に走査信号を供給可能なゲート配線駆動部と、前記額縁領域に配設された、前記複数のソース配線と前記ソース配線駆動部とを電気的に接続する複数のソース接続配線と、前記複数のゲート配線と前記ゲート配線駆動部とを電気的に接続する複数のゲート接続配線と、前記第１基板と対向して配設され、前記第１基板と対向する面上に絶縁性のブラックマトリクスが配設された第２基板とを備え、前記ゲート接続配線は、前記第１基板の前記額縁領域において離間して配設された複数の第１部分ゲート接続配線と、前記第２基板の前記ブラックマトリクス上に配設され、各導電部材を介して前記複数の第１部分ゲート接続配線を電気的に接続する第２部分ゲート接続配線とを含む。
【発明の効果】
【００１０】
本発明によれば、ゲート接続配線は、第１基板の額縁領域において離間して配設された複数の第１部分ゲート接続配線と、第２基板のブラックマトリクス上に配設され、各導電部材を介して複数の第１部分ゲート接続配線を電気的に接続する第２部分ゲート接続配線とを含む。このような構成によれば、狭額縁化された液晶表示装置において、高品質な表示特性を実現することができる。
【図面の簡単な説明】
【００１１】
【図１】実施の形態１に係る液晶パネルのうちＴＦＴ基板の概略構成を示す平面図である。
【図２】実施の形態１に係る液晶パネルのうちＣＦ基板の概略構成を示す平面図である。
【図３】実施の形態１に係る液晶パネルの概略構成を示す断面図である。
【図４】実施の形態１に係るＣＦ基板の概略構成を示す拡大平面図である。
【図５】実施の形態１に係るゲートＩＣの出力の並びの一例を示す平面図である。
【図６】実施の形態２に係る液晶パネルのうちＴＦＴ基板の概略構成を示す平面図である。
【図７】実施の形態２に係る液晶パネルのうちＣＦ基板の概略構成を示す平面図である。
【図８】実施の形態２に係る液晶パネルの概略構成を示す断面図である。
【図９】実施の形態２に係るゲートＩＣの出力の並びの一例を示す平面図である。
【図１０】実施の形態３に係る液晶パネルのうちＴＦＴ基板の概略構成を示す平面図である。
【図１１】実施の形態３に係る液晶パネルのうちＣＦ基板の概略構成を示す平面図である。
【図１２】実施の形態３に係る液晶パネルの概略構成の一例を示す断面図である。
【図１３】実施の形態３に係る液晶パネルの概略構成の別例を示す断面図である。
【図１４】実施の形態４に係る液晶パネルのうちＴＦＴ基板の概略構成を示す平面図である。
【図１５】実施の形態４に係る液晶パネルのうちＣＦ基板の概略構成を示す平面図である。
【図１６】実施の形態５に係る液晶パネルのうちＴＦＴ基板の概略構成を示す平面図である。
【図１７】実施の形態５に係る液晶パネルのうちＣＦ基板の概略構成を示す平面図である。
【図１８】実施の形態５に係る液晶パネルの概略構成を示す断面図である。
【発明を実施するための形態】
【００１２】
＜実施の形態１＞
図１及び図２は、本発明の実施の形態１に係る液晶表示装置が備える液晶パネルを構成するＴＦＴ基板及びＣＦ基板の概略構成を示す平面図である。図３は、後述するゲート接続配線に沿った液晶パネルの概略構成を示す断面図である。
【００１３】
図３に示すように、図２のＣＦ基板２は、図１のＴＦＴ基板１と対向して配設されている。図１及び図２はいずれも、図３の上側、つまりＣＦ基板２に対してＴＦＴ基板１と逆側から見た平面図である。本来であれば、図２のＣＦ基板２に対して向こう側に、不透明膜、部分ゲート接続配線６４などの配線が順に配設されるので、不透明膜により配線を見ることはできない。しかしながら、図２では説明の便宜上、不透明膜が透明であるかのような方式で配線の概略構成を図示している。なお、このことは、図２以降において図２と同様にＣＦ基板２を示す平面図においても同様である。
【００１４】
ＴＦＴ基板１及びＣＦ基板２は、透明な絶縁性の基板であり、例えばガラス基板などが適用される。本発明に係る第１基板はＴＦＴ基板１と呼ぶことができ、本発明に係る第２基板はＣＦ基板２と呼ぶことができる。なお、ＴＦＴ基板１及びＣＦ基板２は、ガラス基板だけに限ったものではなく、例えば、膜が形成されたガラス基板などであってもよい。
【００１５】
次に、ＴＦＴ基板１側の構成について詳細に説明する。ＴＦＴ基板１には、表示領域３と、表示領域３に隣接する額縁領域とが規定されている。図１の例では、表示領域３に隣接する額縁領域として、額縁領域４１，４２，４３，４４が適用されている。ただし、表示領域３に隣接する額縁領域は、これに限ったものではなく、例えば、額縁領域４１，４２だけが適用されても良い。なお、以下の説明において、構成要素が表示領域に配設されることは、構成要素が表示領域３上に直接的に配設されること、または、構成要素が表示領域３上に間接的に配設されることを意味するものとする。同様に、構成要素が額縁領域に配設されることは、構成要素が額縁領域上に直接的に配設されること、または、構成要素が額縁領域上に間接的に配設されることを意味するものとする。
【００１６】
表示領域３には、平面視において互いに交差された複数のソース配線５及び複数のゲート配線６が配設されている。複数のソース配線５と、複数のゲート配線６とは、それらの間に配設された図示しない絶縁膜によって電気的に絶縁されている。
【００１７】
また、表示領域３には、複数のソース配線５及び複数のゲート配線６と接続された複数のＴＦＴ７１が配設されている。例えば、複数のＴＦＴ７１は、複数のソース配線５及び複数のゲート配線６の複数の交差点に対応して配設される。複数のＴＦＴ７１のドレイン電極は、表示領域３にマトリクス状に配設された、ここでは図示しない複数の画素電極と接続されている。
【００１８】
なお、上述した額縁領域であって複数のソース配線５の一端側の領域を、一端額縁領域４１と記すこともある。
【００１９】
一端額縁領域４１には、ソースＩＣ５００及びゲートＩＣ６００が配設されている。ソースＩＣ５００は、複数のソース配線５に駆動用の映像信号を供給することが可能となっている。ゲートＩＣ６００は、複数のゲート配線６に走査信号を供給することが可能となっている。本発明に係るソース配線駆動部はソースＩＣ５００と呼ぶことができ、本発明に係るゲート配線駆動部はゲートＩＣ６００と呼ぶことができる。
【００２０】
額縁領域の一端額縁領域４１には、複数のソース配線５とソースＩＣ５００とを電気的に接続する複数のソース接続配線５１が配設されている。このソース接続配線５１はソース配線５を延長して形成しても良いし、または、ＴＦＴ基板１に形成された他の導電膜によって形成しても良い。例えば、ソース接続配線５１は、ソース配線５及びゲート配線６の少なくともいずれか一方を形成する導電膜から形成しても良い。この場合、ソース接続配線５１は、ソース配線５及びゲート配線６の少なくともいずれか一方と直列または並列に接続されることがある。
【００２１】
なお、本実施の形態１に係る液晶表示装置は、複数のソース接続配線５１と同様に、複数のゲート配線６とゲートＩＣ６００とを電気的に接続する複数のゲート接続配線を備える。ただし、複数のゲート接続配線については後で詳細に説明する。
【００２２】
次に、ＣＦ基板２側の構成について詳細に説明する。以下、ＣＦ基板２にも、ＴＦＴ基板１と同様に、表示領域３と、表示領域３に隣接する額縁領域とが規定されているものとして説明する。
【００２３】
図３に示すように、ＣＦ基板２のＴＦＴ基板１と対向する面上に、光漏れを抑制するための黒色の樹脂からなる樹脂ＢＭ２０１が配設されている。この樹脂ＢＭ２０１は、図２の表示領域３だけでなく額縁領域にも配設されている。なお、本発明に係る絶縁性のブラックマトリクスは、樹脂ＢＭ２０１と呼ぶことができる。
【００２４】
図４は、ＣＦ基板２の表示領域３内側の概略構成を示す拡大平面図である。図４に示されるように表示領域３内側では格子状の樹脂ＢＭ２０１が配設され、樹脂ＢＭ２０１の各開口部には色材２１０，２１１，２１２が周期的に配設されている。色材２１０，２１１，２１２には、例えば、透過光の主波長が赤（Ｒ），緑（Ｇ），青（Ｂ）である３種類の樹脂が用いられる。しかしながら、色材は、これに限ったものではなく、例えば、１種類の無色でも良いし、または、赤（Ｒ），黄（Ｙ），緑（Ｇ）及び青（Ｂ）、もしくは、白（Ｗ），赤（Ｒ），緑（Ｇ），青（Ｂ）等の４色であっても良い。
【００２５】
図３に示すように、ＴＦＴ基板１及びＣＦ基板２は、額縁領域４１〜４４に配設されたシール材９１によって貼り合わされている。そして、図３では図示しないが、液晶が、ＴＦＴ基板１の表示領域３及びＣＦ基板２の表示領域３の間にシール材９１によって封止されている。
【００２６】
次に、複数のゲート配線６とゲートＩＣ６００とを電気的に接続する複数のゲート接続配線について詳細に説明する。本実施の形態１では、複数のゲート接続配線は、２種類のゲート接続配線を含んでいる。具体的には、ＣＦ基板２に配設されずにＴＦＴ基板１の額縁領域に配設されたゲート接続配線６１（以下「一基板ゲート接続配線６１」と記すこともある）と、ＴＦＴ基板１及びＣＦ基板２に跨って配設されたゲート接続配線（以下「二基板ゲート接続配線」と記すこともある）とを含んでいる。なお、二基板ゲート接続配線は、部分ゲート接続配線６２，６３，６４を含んでいる。
【００２７】
図１及び図２の例では、ＴＦＴ基板１に配設された一基板ゲート接続配線６１は、１０８０本を総本数とするＧ１からＧ１０８０までのゲート配線６のうちＧ５４１からＧ１０８０までのゲート配線６、つまり一端額縁領域４１から比較的近くに配設された半数のゲート配線６と接続されている。この一基板ゲート接続配線６１は、ゲート配線６を延長して形成しても良いし、または、ＴＦＴ基板１に形成された他の導電膜によって形成しても良い。例えば、一基板ゲート接続配線６１は、ソース配線５及びゲート配線６の少なくともいずれか一方を形成する導電膜から形成しても良い。
【００２８】
一方、ＴＦＴ基板１及びＣＦ基板２に跨って配設された二基板ゲート接続配線は、Ｇ１からＧ５４０までのゲート配線６、つまり一端額縁領域４１から比較的遠くに配設された半数のゲート配線６と接続されている。上述したように、二基板ゲート接続配線は、部分ゲート接続配線６２，６３，６４を含んでいる。
【００２９】
部分ゲート接続配線６２，６３は、ＴＦＴ基板１の額縁領域において離間して配設されている。このうち部分ゲート接続配線６２の端部はゲートＩＣ６００と接続され、部分ゲート接続配線６３の端部はＧ１からＧ５４０までのゲート配線６のいずれかと接続されている。本発明に係る複数の第１部分ゲート接続配線は、部分ゲート接続配線６２，６３と呼ぶことができる。ただし、複数の第１部分ゲート接続配線は、これに限ったものではなく、例えば、ゲートＩＣ６００及びゲート配線とのいずれとも接続されていない配線を含んでもよい。これら部分ゲート接続配線６２，６３は、ゲート配線６を形成する導電膜から形成しても良いし、または、ＴＦＴ基板１に形成された他の導電膜によって形成しても良い。例えば、部分ゲート接続配線６２，６３は、ソース配線５及びゲート配線６の少なくともいずれか一方を形成する導電膜から形成しても良い。
【００３０】
一方、部分ゲート接続配線６４は、ＴＦＴ基板１ではなく、図３に示すようにＣＦ基板２の樹脂ＢＭ２０１上に配設されている。そして、図２及び図３に示すように、部分ゲート接続配線６４は、シール材９１中に混ぜ込んだ導電性粒子９２ａ，９２ｂを介して部分ゲート接続配線６２と部分ゲート接続配線６３とを電気的に接続している。本発明に係る第２部分ゲート接続配線は、部分ゲート接続配線６４と呼ぶことができ、本発明に係る各導電部材は、導電性粒子９２ａ，９２ｂと呼ぶことができる。
【００３１】
なお本実施の形態１では、図１及び図２に示すように、導電性粒子９２ａ，９２ｂは額縁領域に配設されている。また本実施の形態１では、図２及び図３に示すように、部分ゲート接続配線６４は、一端額縁領域４１近傍のゲート配線６と接続された一基板ゲート接続配線６１と対向して配設されている。
【００３２】
次に、部分ゲート接続配線６２，６３と、部分ゲート接続配線６４との電気接続について詳細に説明する。
【００３３】
図１及び図２に示すように、ＴＦＴ基板１に配設された部分ゲート接続配線６２，６３の一端には、ＣＦ基板２に配設された部分ゲート接続配線６４と接続するためのコンタクト６２ａ，６３ａがそれぞれ配設される。図３に示すように、コンタクト６２ａ，６３ａは、部分ゲート接続配線６２，６３上に配設された絶縁膜１０１の開口によって、絶縁膜１０１から露出されている。これらの開口は、画素電極等を形成するＩＴＯ（Indium Tin Oxide）等の透明導電膜で被覆されても良い。これにより、導電性粒子９２ａ，９２ｂとの接続抵抗が安定する。
【００３４】
図１及び図２に示すように、部分ゲート接続配線６２，６３と同様に、ＣＦ基板２に配設された部分ゲート接続配線６４の両端には、コンタクト６４ａ，６４ｂがコンタクト６２ａ，６３ａの位置と対応させてそれぞれ配設される。図３に示すように、コンタクト６４ａ，６４ｂは、部分ゲート接続配線６４上に配設された絶縁膜２０２の開口によって、絶縁膜２０２から露出されている。これらの開口は、導電膜２０３がＩＴＯ等の透明導電膜である場合などに、当該透明導電膜で被覆されても良い。これにより、導電性粒子９２ａ，９２ｂとの接続抵抗が安定する。
【００３５】
コンタクト６２ａは、導電性粒子９２ａによってコンタクト６４ａと電気的に接続され、コンタクト６３ａは、導電性粒子９２ｂによってコンタクト６４ｂと電気的に接続される。コンタクト６２ａ，６３ａ，６４ａ，６４ｂは、液晶パネルを形成する工程のうちＴＦＴ基板１とＣＦ基板２とを貼り合わせる工程が行われる際に、電気的に接続される。これにより、液晶パネルの貼り合わせ工程の完了後には、Ｇ１からＧ５４０までのゲート配線６は、部分ゲート接続配線６２，６３，６４などを介してゲートＩＣ６００に電気的に接続される。
【００３６】
さて図３に示すように、部分ゲート接続配線６４は、樹脂ＢＭ２０１上に配設される。樹脂ＢＭ２０１は黒色の不透明層であるので、液晶表示装置として動作する際に、観察方向から部分ゲート接続配線６４が視認されてしまうことを防止することができる。また、本実施の形態１では、樹脂ＢＭ２０１に切れ目を設ける必要がないので、表示領域３及び額縁領域に均一な黒枠を形成することができ、違和感のない外観を保つことができる。なお、樹脂ＢＭ２０１のシート抵抗は、部分ゲート接続配線６４間のリークを抑制する観点から、１×１０１１Ω／□以上であることが好ましい。
【００３７】
また図３に示すように本実施の形態１では、部分ゲート接続配線６４の少なくとも一部分上に、絶縁膜２０２を介して導電膜２０３が配設される。このような導電膜２０３によれば、部分ゲート接続配線６４に印加される走査信号が、部分ゲート接続配線６４近傍の液晶に干渉することを抑制することができるので、光漏れ等の表示異常を抑制することができる。なお、本実施の形態１では、部分ゲート接続配線６４のうちの上述の少なくとも一部分は、ＴＦＴ基板１の額縁領域と対向して配設されているが、これに限ったものではなく、例えば後述する実施の形態３のように、ＴＦＴ基板１の表示領域３と対向して配設されてもよい。
【００３８】
図５は、ゲート配線６の総本数が１０８０本である場合の、ゲートＩＣ６００の出力の並びの一例を示す。この例では、ゲートＩＣ６００の長手方向の中央部から一端部に向かってＧ１からＧ５４０までの出力が配設され、当該中央部から他端部に向かってＧ５４１からＧ１０８０までの出力が配設されている。図５に示すような出力の並びを有するゲートＩＣ６００を用いることにより、一基板ゲート接続配線６１を、ゲートＩＣ６００に比較的近いゲート配線６に接続し、二基板ゲート接続配線を、ゲートＩＣ６００に比較的遠いゲート配線６に接続することができる。これにより、ゲート接続配線間の交差を避けることができ、その結果として複雑な導電膜の組合せを使う必要がなくなるので、液晶パネルの構成を簡素化することができる。
【００３９】
＜実施の形態１のまとめ＞
以上のような本実施の形態１に係る液晶表示装置によれば、ゲートＩＣ６００から出力される走査信号をゲート配線６に伝達するためのゲート接続配線は、ＣＦ基板２に配設された部分ゲート接続配線６４を含んでいる。このため、ゲート接続配線に必要な配線領域を削減できるので、額縁領域４２などの額縁領域を削減することができる。また、ＣＦ基板２に配設された部分ゲート接続配線６４は、樹脂ＢＭ２０１上に配設されている。これにより、液晶表示装置として動作する際に、観察方向から部分ゲート接続配線６４が視認されてしまうことを防止することができる。また、樹脂ＢＭ２０１に切れ目を設ける必要がないので、表示領域３及び額縁領域に均一な黒枠を形成することができ、違和感のない外観を保つことができる。このように本実施の形態１によれば、狭額縁化された液晶表示装置において、高品質な表示特性を実現することができる。
【００４０】
また本実施の形態１では、部分ゲート接続配線６４上方に導電膜２０３が配設されている。これにより、液晶パネルの表示動作の際に、部分ゲート接続配線６４に印加される走査信号が、部分ゲート接続配線６４近傍の液晶に干渉することを抑制することができるので、光漏れ等の表示異常を抑制することができる。
【００４１】
なお、以上の説明では、一基板ゲート接続配線６１と電気的に接続されたゲート配線６の本数と、二基板ゲート接続配線と電気的に接続されたゲート配線６の本数との比率は１：１であった。しかし、この比率はこれに限ったものではなく、額縁領域を最小にできるなどの効果が得られるのであれば、他の比率であってもよい。
【００４２】
また、本実施の形態１によれば、ゲートＩＣ６００は、一端額縁領域４１のうち端部の領域に配設され、ゲート接続配線は、ゲートＩＣ６００が配設された端部側に配設されていた。しかしこれに限ったものではなく、後述する実施の形態３のように、ゲートＩＣ６００が、一端額縁領域４１のうち中央部の領域に配設され、ゲート接続配線が、当該中央部から左右に分かれるように配設された構成であっても、上述と同様の効果を得ることができる。
【００４３】
＜実施の形態２＞
図６及び図７は、本発明の実施の形態２に係る液晶表示装置が備える液晶パネルを構成するＴＦＴ基板及びＣＦ基板の概略構成を示す平面図である。図８は、ゲート接続配線に沿った液晶パネルの概略構成を示す断面図である。以下、本実施の形態２で説明する構成要素のうち、実施の形態１と同じまたは類似する構成要素については同じ参照符号を付し、異なる構成要素について主に説明する。
【００４４】
実施の形態１では、図３に示したように、部分ゲート接続配線６３は、ＴＦＴ基板１の額縁領域上に配設されていた。これに対して本実施の形態２では、図８に示すように、部分ゲート接続配線６３は、ＴＦＴ基板１の額縁領域上に絶縁膜１０１を介して配設されている。つまり、部分ゲート接続配線６３はＴＦＴ基板１の額縁領域上方に配設されている。そして、部分ゲート接続配線６２上には絶縁膜１０１，１０２が配設され、部分ゲート接続配線６３上には絶縁膜１０２が配設されている。
【００４５】
コンタクト６２ａは、部分ゲート接続配線６２上に配設された絶縁膜１０１，１０２の開口によって、絶縁膜１０１，１０２から露出されている。コンタクト６３ａは、部分ゲート接続配線６３上に配設された絶縁膜１０２の開口によって、絶縁膜１０２から露出されている。これらの開口は、画素電極等を形成するＩＴＯ等の透明導電膜で被覆されても良い。これにより、導電性粒子９２ａ，９２ｂとの接続抵抗が安定する。
【００４６】
そして実施の形態１と同様に、コンタクト６２ａは、シール材９１中に混ぜ込んだ導電性粒子９２ａによってコンタクト６４ａと電気的に接続され、コンタクト６３ａは、シール材９１中に混ぜ込んだ導電性粒子９２ｂによってコンタクト６４ｂと電気的に接続される。
【００４７】
以上のような構成により、図６に示すように、平面視において部分ゲート接続配線６３と一基板ゲート接続配線６１とが交差されても、部分ゲート接続配線６３と一基板ゲート接続配線６１とを絶縁膜１０１によって電気的に絶縁することができる。
【００４８】
図９は、ゲート配線６の総本数が１０８０本である場合の、ゲートＩＣ６００の出力の並びの一例を示す。この例では、ゲートＩＣ６００の長手方向の一端部において、Ｇ１及びＧ１０８０の出力が配設され、ゲートＩＣ６００の長手方向の他端部において、Ｇ２及びＧ１０７９の出力が配設されている。そして、ゲートＩＣ６００の長手方向の一端部において、Ｇ１及びＧ１０８０の出力よりも中央部側にＧ３及びＧ１０７８が配設され、ゲートＩＣ６００の長手方向の他端部において、Ｇ２及びＧ１０７９の出力よりも中央部側にＧ４及びＧ１０７７が配設される。
【００４９】
図９に示すような出力の並びを有するゲートＩＣ６００を用いることにより、一基板ゲート接続配線６１と接続されるゲート配線６と、二基板ゲート接続配線と接続されるゲート配線６とを、表示領域３内において配列方向に沿って交互に配設することができる。ここで、一般に、ゲート接続配線の経路の長さの差異によって、ゲートＩＣ６００からゲート配線６までの接続抵抗に差異が生じ、接続抵抗の差異によって走査信号の鈍りに差異が生じ、操作信号の鈍りの差異によって表示性能に差異が生じる。これに対して、以上のような本実施の形態２に係る液晶表示装置によれば、表示性能の差異を、ゲート配線６の配設周期と同様に交互に分布させることができるので、表示領域３内で均一化することができる。
【００５０】
＜実施の形態２のまとめ＞
以上のような本実施の形態２に係る液晶表示装置によれば、部分ゲート接続配線６３をＴＦＴ基板１の額縁領域上方に配設することによって、部分ゲート接続配線６３と一基板ゲート接続配線６１との間を電気的に絶縁した状態で、それらを平面視にて交差させることができる。このため、図９のような出力の並びを有するゲートＩＣ６００などを用いた場合には、表示領域３内での急峻な表示特性の差異を均一化することができるので、高品質な液晶表示装置を提供することが可能となる。
【００５１】
＜実施の形態３＞
図１０及び図１１は、本発明の実施の形態３に係る液晶表示装置が備える液晶パネルを構成するＴＦＴ基板及びＣＦ基板の概略構成を示す平面図である。図１２及び図１３は、図１１のＡ−Ａ’線に沿った液晶パネルの概略構成の一例及び別例を示す断面図である。なお、図１２は、本実施の形態３に係る液晶パネルがＴＮ型液晶パネルである場合の断面図であり、図１３は、本実施の形態３に係る液晶パネルがＩＰＳ（登録商標）型液晶パネルである場合の断面図である。以下、本実施の形態３で説明する構成要素のうち、実施の形態１と同じまたは類似する構成要素については同じ参照符号を付し、異なる構成要素について主に説明する。
【００５２】
実施の形態１では、図２及び図３に示すように、部分ゲート接続配線６４のうち導電膜２０３により覆われた少なくとも一部分は、ＴＦＴ基板１の額縁領域と対向して配設されていた。これに対して本実施の形態３では、図１１〜図１３に示すように、部分ゲート接続配線６４のうち導電膜２０３により覆われた少なくとも一部分は、ＴＦＴ基板１の表示領域３と対向して配設されている。この結果として、部分ゲート接続配線６４は、表示領域３を通り抜けるように配設されている。
【００５３】
なお、以上の構成に伴って、図１０に示すように、ゲートＩＣ６００は、一端額縁領域４１のうち中央部の領域に配設され、複数のゲート接続配線は、図１の一基板ゲート接続配線６１を含まずに、二基板ゲート接続配線を含んでいる。
【００５４】
以下、図１２を用いて、液晶パネルがＴＮ型液晶パネルである場合の構成について説明する。
【００５５】
ＣＦ基板２に配設された部分ゲート接続配線６４は、表示領域３内に配設された格子状の樹脂ＢＭ２０１上に配設される。樹脂ＢＭ２０１は黒色の不透明層であるので、液晶表示装置として動作する際に、観察方向から部分ゲート接続配線６４が視認されてしまうことを防止することができるとともに、違和感のない表示を行うことができる。
【００５６】
また、図１２の構成では、色材２１０〜２１２上に、絶縁膜２０２を介して導電膜２０３が配設されている。この導電膜２０３は、液晶層８を介してＴＦＴ基板１上の画素電極７２との間に電圧を印加する共通電極として用いられる。なお、共通電極として用いられる導電膜２０３は、表示領域３内に面状に配設される。このため、導電膜２０３は、部分ゲート接続配線６４の走査信号による液晶層８の液晶への干渉を抑制するシールドとしても機能する。
【００５７】
なお、図１２の構成では、色材２１０〜２１２と導電膜２０３との間に絶縁膜２０２が配設されている。しかしこれに限ったものではなく、色材２１０〜２１２によって、部分ゲート接続配線６４と導電膜２０３との間の絶縁性能が十分に確保できる場合には、絶縁膜２０２を省略して、色材２１０〜２１２を絶縁膜として用いることが可能である。また、絶縁膜２０２は、上述の位置に配設される代わりに、部分ゲート接続配線６４と色材２１０〜２１２のそれぞれとの間に配設されても良い。
【００５８】
次に、図１３を用いて、液晶パネルがＩＰＳ（登録商標）型液晶パネルである場合の構成について説明する。このような液晶パネルでは、画素電極７２との間に電圧を印加する共通電極７３が、ＴＦＴ基板１に配設される。
【００５９】
ＣＦ基板２に配設された部分ゲート接続配線６４は、表示領域３内に配設された格子状の樹脂ＢＭ２０１上に配設される。樹脂ＢＭ２０１は黒色の不透明層であるので、液晶表示装置として動作する際に、観察方向から部分ゲート接続配線６４が視認されてしまうことを防止することができるとともに、違和感のない表示を行うことができる。
【００６０】
また、図１３の構成では、色材２１０〜２１２上に、絶縁膜２０２を介して導電膜２０３が配設されている。このような導電膜２０３によれば、部分ゲート接続配線６４に印加される走査信号が、部分ゲート接続配線６４近傍の液晶層８の液晶に干渉することを抑制することができるので、光漏れ等の表示異常を抑制することができる。なお、導電膜２０３の有無による液晶の不均一な動作を避けるため、導電膜２０３が表示領域３内に均一に配設されるように、部分ゲート接続配線６４が配設されていない部分の上方にも配設されることが好ましい。そのような導電膜２０３のパターンとして、例えば樹脂ＢＭ２０１と同様の格子状のパターンが有効である。この場合、導電膜２０３は、平面視において画素電極７２同士の間に配設されることになる。
【００６１】
なお、図１３の構成では、色材２１０〜２１２と導電膜２０３との間に絶縁膜２０２が配設されている。しかしこれに限ったものではなく、色材２１０〜２１２によって、部分ゲート接続配線６４と導電膜２０３との間の絶縁性能が十分に確保できる場合には、絶縁膜２０２を省略して、色材２１０〜２１２を絶縁膜として用いることが可能である。また、絶縁膜２０２は、上述の位置に配置される代わりに、部分ゲート接続配線６４と色材２１０〜２１２のそれぞれとの間に配設されても良い。
【００６２】
＜実施の形態３のまとめ＞
以上のような本実施の形態３に係る液晶表示装置によれば、部分ゲート接続配線６４のうち導電膜２０３により覆われた少なくとも一部分は、ＴＦＴ基板１の表示領域３と対向して配設される。これにより、実施の形態１と同様に、ゲート接続配線に必要な配線領域を削減できるので、額縁領域４２などの額縁領域を削減することができる。また、ゲートＩＣ６００の全ての出力を、ＣＦ基板２に配設された部分ゲート接続配線６４を介してゲート配線６に均質に接続することができるため、高品質な表示特性をもつ液晶表示装置を提供することが可能となる。
【００６３】
また、本実施の形態３では、図１３のような横電界方式の液晶パネルを備える液晶表示装置において、導電膜２０３は、平面視において画素電極７２同士の間に配設される。このような構成によれば、液晶の不均一な動作を避けるための導電膜２０３をなるべく少なくすることができる。
【００６４】
なお、以上の説明では、液晶パネルは、ＩＰＳ（登録商標）型液晶パネルであったが、これに限ったものではなく、例えばＦＦＳ（fringe field switching）型液晶パネルなどの横電界方式の液晶パネルであればよい。
【００６５】
＜実施の形態４＞
図１４及び図１５は、本発明の実施の形態４に係る液晶表示装置が備える液晶パネルを構成するＴＦＴ基板及びＣＦ基板の概略構成を示す平面図である。以下、本実施の形態４で説明する構成要素のうち、実施の形態３と同じまたは類似する構成要素については同じ参照符号を付し、異なる構成要素について主に説明する。
【００６６】
図１４及び図１５に示すように、ＴＦＴ基板１、ＣＦ基板２及び表示領域３の平面視における外郭形状は、一端額縁領域４１側において直線形状を有しており、一端額縁領域４１と逆側において曲線形状を有している。このように、本実施の形態４では、ＴＦＴ基板１、ＣＦ基板２及び表示領域３の平面視における外郭形状は、曲線形状を含んでいる。
【００６７】
そして、部分ゲート接続配線６２，６３のうち導電性粒子９２ａ，９２ｂと接続される部分であるコンタクト６２ａ，６３ａ、及び、部分ゲート接続配線６４のうち導電性粒子９２ａ，９２ｂと接続される部分であるコンタクト６４ａ，６４ｂは、平面視において表示領域３の曲線形状に沿って配設されている。
【００６８】
＜実施の形態４のまとめ＞
以上のような本実施の形態４に係る液晶表示装置によれば、直線形状ではない外郭形状を有する液晶表示装置においても、実施の形態１と同様に額縁領域を削減することができる。
【００６９】
＜実施の形態５＞
図１６及び図１７は、本発明の実施の形態５に係る液晶表示装置が備える液晶パネルを構成するＴＦＴ基板及びＣＦ基板の概略構成を示す平面図である。図１８は、後述するゲート配線間接続配線に沿った液晶パネルの概略構成を示す断面図である。以下、本実施の形態５で説明する構成要素のうち、実施の形態３と同じまたは類似する構成要素については同じ参照符号を付し、異なる構成要素について主に説明する。
【００７０】
図１６及び図１７に示すように、ＴＦＴ基板１、ＣＦ基板２及び表示領域３の平面視における外郭形状は、一端額縁領域４１側において直線形状を有し、一端額縁領域４１と逆側において曲線形状及び凹部形状を有している。
【００７１】
図１６に示すように、いくつかのゲート配線６のそれぞれは、ＴＦＴ基板１の表示領域３において離間してされた部分ゲート配線６ａ，６ｂを含んでおり、部分ゲート配線６ａ，６ｂは、上述の凹部を挟んで配設されている。つまり、凹部形状によって、部分ゲート配線６ａ，６ｂが分断されている。なお本発明に係る複数の部分ゲート配線は、部分ゲート配線６ａ，６ｂと呼ぶことができる。
【００７２】
ここで、本実施の形態５に係る液晶表示装置は、実施の形態３の構成に加えて、部分ゲート配線６ａ，６ｂを電気的に接続するゲート配線間接続配線を備えている。そして、ゲート配線間接続配線は、部分ゲート配線間接続配線６７，６８，６９を含んでいる。
【００７３】
部分ゲート配線間接続配線６７，６８は、ＴＦＴ基板１の額縁領域において離間して配設されている。このうち部分ゲート配線間接続配線６７の端部は部分ゲート配線６ａと接続され、部分ゲート配線間接続配線６８の端部は部分ゲート配線６ｂと接続されている。本発明に係る複数の第１部分ゲート配線間接続配線は、部分ゲート配線間接続配線６７，６８と呼ぶことができる。ただし、複数の第１部分ゲート配線間接続配線は、これに限ったものではなく、例えば、部分ゲート配線６ａ，６ｂのいずれとも接続されていない配線を含んでもよい。
【００７４】
一方、部分ゲート配線間接続配線６９は、図１８に示すようにＣＦ基板２の樹脂ＢＭ２０１上に配設されている。そして、図１７及び図１８に示すように、部分ゲート配線間接続配線６９は、シール材９１中に混ぜ込んだ導電性粒子９２ｃ，９２ｄを介して部分ゲート配線間接続配線６７と部分ゲート配線間接続配線６８とを電気的に接続している。本発明に係る第２部分ゲート配線間接続配線は、部分ゲート配線間接続配線６９と呼ぶことができ、本発明に係る各導電部材は、導電性粒子９２ｃ，９２ｄと呼ぶことができる。なお本実施の形態５では、図１６及び図１７に示すように、導電性粒子９２ｃ，９２ｄは額縁領域に配設されている。
【００７５】
さて、凹部形状により分断されたゲート配線６の本数が少ない場合、実施の形態１などで説明した二基板ゲート接続配線によって、部分ゲート配線６ａまたは部分ゲート配線６ｂとゲートＩＣ６００との間を電気的に接続することは可能である。しかしながら、凹部形状により分断されたゲート配線６の本数が多い場合には、表示領域３または額縁領域に二基板ゲート接続配線を配設することが困難になるので、要求される液晶パネルの外郭形状を維持しつつ、部分ゲート配線６ａ及び部分ゲート配線６ｂとゲートＩＣ６００との間を電気的に接続することが困難になる。
【００７６】
これに対して、本実施の形態５によれば、凹部形状により分断されたゲート配線６の本数が多い場合にも、要求される液晶パネルの外郭形状を維持しつつ、部分ゲート配線６ａ及び部分ゲート配線６ｂとゲートＩＣ６００とを電気的に接続することができる。この結果、必要な表示領域３を確保することができる。
【００７７】
図１６及び図１７に示すように、ＴＦＴ基板１に配設された部分ゲート配線間接続配線６７，６８の一端には、ＣＦ基板２に配設された部分ゲート配線間接続配線６９と接続するためのコンタクト６７ａ，６８ａがそれぞれ配設される。図１８に示すように、コンタクト６７ａ，６８ａは、部分ゲート配線間接続配線６７，６８上に配設された絶縁膜１０１の開口によって、絶縁膜１０１から露出されている。これらの開口は、画素電極等を形成するＩＴＯ等の透明導電膜で被覆されても良い。これにより、導電性粒子９２ｃ，９２ｄとの接続抵抗が安定する。
【００７８】
図１６及び図１７に示すように、部分ゲート配線間接続配線６７，６８と同様に、ＣＦ基板２に配設された部分ゲート配線間接続配線６９の両端には、コンタクト６９ａ，６９ｂがコンタクト６７ａ，６８ａの位置と対応させてそれぞれ配設される。図１８に示すように、コンタクト６９ａ，６９ｂは、部分ゲート配線間接続配線６９上に配設された絶縁膜２０２の開口によって、絶縁膜２０２から露出されている。これらの開口は、導電膜２０３がＩＴＯ等の透明導電膜である場合などに、当該透明導電膜で被覆されても良い。これにより、導電性粒子９２ｃ，９２ｄとの接続抵抗が安定する。
【００７９】
コンタクト６７ａは、導電性粒子９２ｃによってコンタクト６９ａと電気的に接続され、コンタクト６８ａは、導電性粒子９２ｄによってコンタクト６９ｂと電気的に接続される。
【００８０】
さて図１８に示すように、部分ゲート配線間接続配線６９は、樹脂ＢＭ２０１上に配設される。樹脂ＢＭ２０１は黒色の不透明層であるので、液晶表示装置として動作する際に、観察方向から部分ゲート配線間接続配線６９が視認されてしまうことを防止することができる。また、本実施の形態５では、樹脂ＢＭ２０１に切れ目を設ける必要がないので、表示領域３及び額縁領域に均一な黒枠を形成することができ、違和感のない外観を保つことができる。
【００８１】
また図１８に示すように本実施の形態５では、部分ゲート配線間接続配線６９の少なくとも一部分上に、絶縁膜２０２を介して導電膜２０３が配設される。このような導電膜２０３によれば、部分ゲート配線間接続配線６９に印加される走査信号が、部分ゲート配線間接続配線６９近傍の液晶層８の液晶に干渉することを抑制することができるので、光漏れ等の表示異常を抑制することができる。
【００８２】
＜実施の形態５のまとめ＞
以上のような本実施の形態５に係る液晶表示装置によれば、表示領域３の凹部形状によってゲート配線６が分断される場合であっても、ゲート接続配線に必要な配線領域を削減できるので、額縁領域を削減することができる。また、ＣＦ基板２に配設された部分ゲート配線間接続配線６９は、樹脂ＢＭ２０１上に配設されているので、液晶表示装置として動作する際に、観察方向から部分ゲート配線間接続配線６９が視認されてしまうことを防止することができる。
【００８３】
また本実施の形態５では、部分ゲート配線間接続配線６９上方に導電膜２０３が配設されている。これにより、液晶パネルの表示動作の際に、部分ゲート配線間接続配線６９に印加される走査信号が、部分ゲート配線間接続配線６９近傍の液晶に干渉することを抑制することができるので、光漏れ等の表示異常を抑制することができる。
【００８４】
なお、本発明は、その発明の範囲内において、各実施の形態を自由に組み合わせたり、各実施の形態を適宜、変形、省略したりすることが可能である。
【符号の説明】
【００８５】
１  ＴＦＴ基板、２  ＣＦ基板、３  表示領域、５  ソース配線、６  ゲート配線、６ａ，６ｂ  部分ゲート配線、４１，４２，４３，４４  額縁領域、５１  ソース接続配線、６２，６３，６４  部分ゲート接続配線、６２ａ，６３ａ，６４ａ，６４ｂ  コンタクト、６７，６８，６９  部分ゲート配線間接続配線、７１  ＴＦＴ、７２  画素電極、９２ａ，９２ｂ，９２ｃ，９２ｄ  導電性粒子、２０１  樹脂ＢＭ、２０２  絶縁膜、２０３  導電膜、５００  ソースＩＣ、６００  ゲートＩＣ。
【図１】
2017219703.tif 000003
【図２】
2017219703.tif 000004
【図３】
2017219703.tif 000005
【図４】
2017219703.tif 000006
【図５】
2017219703.tif 000007
【図６】
2017219703.tif 000008
【図７】
2017219703.tif 000009
【図８】
2017219703.tif 000010
【図９】
2017219703.tif 000011
【図１０】
2017219703.tif 000012
【図１１】
2017219703.tif 000013
【図１２】
2017219703.tif 000014
【図１３】
2017219703.tif 000015
【図１４】
2017219703.tif 000016
【図１５】
2017219703.tif 000017
【図１６】
2017219703.tif 000018
【図１７】
2017219703.tif 000019
【図１８】
2017219703.tif 000020